(57)【要約】      （修正有）【課題】大きな力を要さずに、片手で簡単に蓋体の開放が可能であると共に、構造が簡単で製造コストが小さく、且つ重量が軽量な筆記具ケースを提供する。  【解決手段】全体薄型直方体形状に形成され、上面部及び下面部に開口部を有するケース部と、上記開口部を開閉可能に被覆しうる平面長方形状の蓋体とを備え、上記ケース部に取り付けられている磁石部材に、上記蓋体の幅方向端縁部に取り付けられている金属片が磁性吸着力により吸着されることにより、上記蓋体によって上記ケース部の上記開口部が閉鎖されると共に、上記磁石部材を移動させることで、上記金属片と上記磁石部材との吸着を解除しうる筆記具ケースにおいて、上記磁石部材は、上記ケース部の幅方向外方から幅方向内方に向かって傾倒可能に配設され、上記磁石部材を上記ケース部の幅方向内方に傾倒させることで上記金属片と記磁石部材との吸着を解除しうる構成とする。【選択図】図１
0003144562.tif 000002
【実用新案登録請求の範囲】
【請求項１】
全体薄型直方体形状に形成され、上面部及び下面部に開口部を有するケース部と、上記開口部を開閉可能に被覆しうる平面長方形状の蓋体とを備え、上記ケース部に取り付けられている磁石部材に、上記蓋体の幅方向端縁部に取り付けられている金属片が磁性吸着力により吸着されることにより、上記蓋体によって上記ケース部の上記開口部が閉鎖されると共に、上記磁石部材を移動させることで、上記金属片と上記磁石部材との吸着を解除しうる筆記具ケースにおいて、
上記磁石部材は、上記ケース部の幅方向外方から幅方向内方に向かって傾倒可能に配設され、上記磁石部材を上記ケース部の幅方向内方に傾倒させることで上記金属片と記磁石部材との吸着を解除しうることを特徴とする筆記具ケース。
【請求項２】
上記磁石部材は、全体略直方形に形成された磁石固定部材と、上記磁石固定部材に埋設された磁石体とから形成され、
上記磁石固定部材の、上記ケース部の幅方向内方側の長さ方向一方側面部には、長さ方向に沿って下方に向かって延設部が設けられ、上記延設部は上記ケース部に固定されると共に、上記磁石固定部材は上記延設部と上記長さ方向側面部との境界部に形成されたヒンジ部を介して上記ケース部の幅方向内方側に傾倒可能に固定されていることを特徴とする請求項１記載の筆記具ケース。
【請求項３】
上記磁石固定部材の、上記ケース部の幅方向端部側の長さ方向他方側面部には、上記ケース部の幅方向外方に突出する突起部が配設され、
上記突起部を上記ケース部の幅方向内方に向かって押入することで、上記磁石固定部材は上記ケース部の幅方向内方側に傾倒し、上記磁石体と上記金属片との吸着が解除されることを特徴とする請求項２記載の筆記具ケース。
【請求項４】
上記突起部は、略直方体の小片に形成され、上記突起部を上記ケース部の幅方向内方に向かって押入し、上記磁石部材を上記ケース部の幅方向内方側に向かって傾倒させることで、上記突起部の角部によって上記金属片が上方に跳ね上げられることを特徴とする請求項２記載の筆記具ケース。
【請求項５】
上記磁石部材は、上記ケース部の上面側及び下面側の幅方向端部に夫々取り付けられていることを特徴とする請求項１記載の筆記具ケース。
【考案の詳細な説明】
【技術分野】
【０００１】
本考案は筆記具ケースに係り、特にケース部に取り付けられている磁石部材に蓋体に取り付けられている金属片が吸着されることにより蓋体が閉鎖されると共に、上記磁石部材を移動させることで、上記金属片との吸着が解除され、蓋体を開放しうる筆記具ケースに関するものである。
【背景技術】
【０００２】
筆記具を収納するケース部と、上記ケース部を被覆する蓋体とを備え、上記ケース部に取り付けられた磁石部材と上記蓋体に取り付けられた金属片とを磁性吸着させることで、上記蓋体を開閉可能とした筆記具ケースは従来から使用されている。
図６に示すように、従来の筆記具ケース７０は、全体略直方体の箱状に形成されたケース部７１と、上記ケース部７１の下面部７２から長さ方向一方側面部７３、及び上面開口部７４を外方から被覆し、上記上面開口部７４を開閉可能に閉止しうる平面長方形状に形成された蓋体７５と、上記ケース部７１の幅方向端部に設けられた磁石部材７６と、上記蓋体７５の幅方向端部に取り付けられ、上記磁石部材７６と磁性吸着力によって吸着し、上記蓋体７５を閉止状態に固定する金属片７７とから形成されている。
上記蓋体７５の開放操作は、一方の手で上記ケース部７０を把持して固定し、他方の手で、蓋体７５の金属片７７若しくはその近傍を把持し、磁性吸着力に抗して上記蓋体７５を上方に持ち上げることで行われる。
従って、蓋体７５の開放操作には両手が必要であり、机上作業時等においては上記蓋体７５の開放のために、作業を中断する必要があり、非常に煩わしいという不具合を有していた。
【０００３】
上記の不具合を解決するため、片手で開閉作業が可能な筆記具ケースが提案されている（特許文献１）。
図７は、筆記具ケース８０をケース部８１と蓋体８５とに分解した状態の斜視図を示している。
図７に示すように、上記特許文献１にかかる筆記具ケース８０は、全体略直方体の箱状に形成されたケース部８１と、上記ケース部８１の下面部８２から長さ方向一方側面部８３、及び上面開口部８４を外方から被覆し、上記上面開口部８４を開閉可能に閉止しうる平面長方形状に形成された蓋体８５と、上記ケース部８１の幅方向一端部の長さ方向中央部に配設された磁石部材８６と、上記蓋体８５の幅方向一方端縁部８７に取り付けられた金属片８８と、一端部が上記ケース部８１の下面部８２の長さ方向略中央部９０に固定されると共に、上記ケース部８１の長さ方向一方側面部８３を経由し、他端部が上記蓋体８５の幅方向一方端縁に設けられた溝部１００に挿通されて固定され、上記蓋体８５を開放方向に付勢する細長板状の板ばね１０１とから形成されている。
また、図８に示すように、上記磁石部材８６は、所定幅を有する角筒部８９と、上記角筒部８９に挿入され、各辺部に突起部９１ａ，９１ｂ，９１ｃ，９１ｄ、９２ａ，９２ｂ，９２ｃ，９２ｄを有する四角形板状に形成された磁石板９１、９２と、上記磁石板９１，９２を幅方向外方から固定しうる固定板９３と、上記磁石板９１，９２、及び固定板９３の中央部に設けられた孔部９４，９５，９６を貫通する回転軸９７と上記回転軸９７の一端部に設けられた摘み部９８と、上記摘み部９８と上記固定板９３との間に配設されると共に、上記回転軸９７に挿通されて上記固定板９３を上記角筒部８９の内方に向かって付勢するスプリング９９とから形成されている。
上記磁石板９１、９２の突起部９１ａ，９１ｂ，９１ｃ，９１ｄ、９２ａ，９２ｂ，９２ｃ，９２ｄは、上記角筒部８９の側面部に設けられた細孔８９ａ，８９ｂ，８９ｃ，８９ｄから突出して配置される。
図９は、筆記具ケース８０の長さ方向中央部における幅方向断面図である。
図９に示すように、上記磁石部材８６は、上記ケース部８１の幅方向一端部の長さ方向中央部に設けられ、直方形箱状に形成された収納部１０２に収納され、上記回転軸９７の他端部は上記収納部１０２の幅方向一端側側面１０３の内壁に回転可能に嵌合されている。
また、上記回転軸９７の一端部は上記収納部１０２の幅方向他端側側面１０４を貫通し、幅方向外方に突出して配置され、上記摘み部９８は、上記収納部１０２の外方から、上記回転軸９７の一端部に嵌合され、上記摘み部９８を回動させた場合には、上記回転軸９７を介して上記磁石部材８６を回動可能に形成されている。
【０００４】
図１０に示すように、上記摘み部９８を指等で把持し、任意の方向に回転させることによって上記磁石部材８６の角筒部８９が回転すると、上記角筒部８９が上記ケース部８１の上面開口部８４の一般面から上方に突出した状態となる。
上記の動作に伴い、上記角筒部８９の角部１０５が、上記蓋体８５の幅方向一方端縁部８７に取り付けられた金属片８８に当接しつつ上方に押し上げる。
これにより、上記金属片８８と上記磁石部材８６の磁石板９１、９２との吸着が解除され、上記板ばね１０１の付勢力により、蓋体８５が矢印Ｃの方向に開放されるものである。
【０００５】
しかしながら、図１０に示すように、上記特許文献１にかかる筆記具ケース８０は、摘み部９８を指で把持して上記金属片８８と磁石板９１、９２との吸着力に抗して回転させる必要があるため、大きな力が必要であり、児童や女性等では片手で上記摘み部９８を回転させることが困難であるという不具合を有していた。
また、板ばね１０１を取り付け、蓋体８５の開放動作を補助することが可能であるが、この場合は、構造が複雑となり、部品点数が増加することから、製造コストが大きくなると共に、全体重量が重くなるという不具合をも有していた。
【０００６】
【特許文献１】実開Ｓ５４−３０６９５号のマイクロフィルム
【考案の開示】
【考案が解決しようとする課題】
【０００７】
本考案の課題は、大きな力を要さずに、片手で簡単に蓋体の開放が可能であると共に、構造が簡単で製造コストが小さく、且つ重量が軽量な筆記具ケースを提供することにある。
【課題を解決するための手段】
【０００８】
上記課題を解決するために、請求項１記載の筆記具ケースは、全体薄型直方体形状に形成され、上面部及び下面部に開口部を有するケース部と、上記開口部を開閉可能に被覆しうる平面長方形状の蓋体とを備え、上記ケース部に取り付けられている磁石部材に、上記蓋体の幅方向端縁部に取り付けられている金属片が磁性吸着力により吸着されることにより上記蓋体によって上記ケース部の上記開口部が閉鎖されると共に、上記磁石部材を移動させることで、上記金属片と上記磁石部材との吸着を解除しうる筆記具ケースにおいて、上記磁石部材は、上記ケース部の幅方向外方から幅方向内方に向かって傾倒可能に配設され、上記磁石部材を上記ケース部の幅方向内方に傾倒させることで上記金属片と記磁石部材との吸着を解除しうることを特徴とする。
【０００９】
従って、磁石部材が上記ケース部の幅方向内方に傾倒することで、上記金属片と上記磁石部材とが離間され、互いの吸着が解除される。
【００１０】
また、請求項２記載の筆記具ケースは、上記磁石部材は、全体略直方形に形成された磁石固定部材と、上記磁石固定部材に埋設された磁石体とから形成され、上記磁石固定部材の、上記ケース部の幅方向内方側の長さ方向一方側面部には、長さ方向に沿って下方に向かって延設部が設けられ、上記延設部は上記ケース部に固定されると共に、上記磁石固定部材は上記延設部と上記長さ方向側面部との境界部に形成されたヒンジ部を介して上記ケース部の幅方向内方側に傾倒可能に固定されていることを特徴とする。
【００１１】
従って、上記磁石固定部材に形成されたヒンジ部を介して、上記磁石部材を傾倒させることで、磁石部材と蓋体の金属片とが速やかに離間され、互いの吸着が解除される。
【００１２】
また、請求項３記載の筆記具ケースは、上記磁石固定部材の、上記ケース部の幅方向端部側の長さ方向他方側面部には、上記ケース部の幅方向外方に突出する突起部が配設され、上記突起部を上記ケース部の幅方向内方に向かって押入することで、上記磁石固定部材は上記ケース部の幅方向内方側に傾倒し、上記磁石体と上記金属片との吸着が解除されることを特徴とする。
【００１３】
従って、片手で上記ケース部を把持しつつ、指で上記突起部を上記ケース部の幅方向内方に向かって押入することで、蓋体の金属片と磁石部材とが離間し、互いの吸着が解除される。
【００１４】
また、請求項４記載の筆記具ケースは、上記突起部は、略直方体の小片に形成され、上記突起部を上記ケース部の幅方向内方に向かって押入し、上記磁石部材を上記ケース部の幅方向内方側に向かって傾倒させることで、上記突起部の角部によって上記金属片が上方に跳ね上げられることを特徴とする。
【００１５】
従って、上記磁石部材を傾倒させて上記金属片と上記磁石部材との吸着が解除された後、更に上記突起部の角部によって上記金属片が上方に跳ね上げられることで、蓋体が上方に向かって開放される。
【００１６】
また、請求項５記載の筆記具ケースは、上記磁石部材は、上記ケース部の上面側及び下面側の幅方向端部に夫々取り付けられていることを特徴とする。
【考案の効果】
【００１７】
請求項１記載の筆記具ケースにあっては、上記磁石部材は、上記ケース部の幅方向外方から幅方向内方に向かって傾倒可能に配設され、請求項２の筆記具ケースにあっては、上記磁石部材は、全体略直方形に形成された磁石固定部材と、上記磁石固定部材に埋設された磁石体とから形成され、上記磁石固定部材の、上記ケース部の幅方向内方側の長さ方向一方側面部には、長さ方向に沿って下方に向かって延設部が設けられ、上記延設部は上記ケース部に固定されると共に、上記磁石固定部材は上記延設部と上記長さ方向側面部との境界部に形成されたヒンジ部を介して上記ケース部の幅方向内方側に傾倒可能に固定されていることから、上記磁石部材と上記金属片との吸着解除操作時は、上記磁石部材は、磁性吸着力の方向に対して対向しない方向に移動するため、直接上記磁性吸着力に抗する必要がない。
従って、大きな力を要さずとも、片手で容易に蓋体の開放が可能であると共に、磁石部材以外は、従来の筆記具ケースの構造と同様の構成を有することから、構造が簡単であり、製造コストが小さく、且つ従来の筆記具ケースのように板ばね等の付勢力によって蓋体の開放操作を補助する必要もないため、部品点数が少なく、製品重量が軽量な筆記具ケースを提供することができる。
【００１８】
また、請求項３の筆記具ケースにあっては、上記磁石固定部材の、上記ケース部の幅方向端部側の長さ方向他方側面部には、上記ケース部の幅方向外方に突出する突起部が配設され、上記突起部を上記ケース部の幅方向内方に向かって押入することで、上記磁石固定部材は上記ケース部の幅方向内方側に傾倒し、上記磁石体と上記金属片との吸着が解除されることから、請求項１及び２の筆記具ケースの効果に加え、上記磁石部材を傾倒させやすく、上記磁石部材と上記金属片の吸着解除操作がより容易となる。
【００１９】
また、請求項４の筆記具ケースにあっては、上記突起部は、略直方体の小片に形成され、上記突起部を上記ケース部の幅方向内方に向かって押入し、上記磁石部材を上記ケース部の幅方向内方側に向かって傾倒させることで、上記突起部の角部によって上記金属片が上方に跳ね上げられることから、上記磁石部材と上記金属片の吸着解除と同時に、蓋体が上方に跳ね上げられるため、請求項３の効果に加え、上記磁石部材と上記金属片との吸着解除後の蓋体開放操作がより容易となる。
【００２０】
また、請求項５記載の筆記具ケースにあっては、上記磁石部材は、上記磁石部材は、上記ケース部の上面側及び下面側の幅方向端部に夫々取り付けられていることから、両開き式の筆記具ケースであっても請求項１と同様の効果得ることが可能となる。
【考案を実施するための最良の形態】
【００２１】
以下、図面を用いて本考案の実施の形態について説明する。
図１に示すように、本実施の形態にかかる筆記具ケース１０は、全体薄型直方体形状に形成され、上面部１２及び下面部１３に開口部１４を有するケース部１１と、上記開口部１４を開閉可能に被覆しうる平面長方形状の蓋体１５とを備え、上記ケース部に取り付けられている磁石部材１６に、上記蓋体１５の幅方向端縁部１７に取り付けられている金属片１８が磁性吸着力により吸着されることにより、上記蓋体１５によって上記ケース部１１の上記開口部１４が閉鎖されると共に、上記磁石部材１６を移動させることで、上記金属片１８と上記磁石部材１６との吸着を解除しうるように形成されている。
上記磁石部材１６は、上記ケース部１１の幅方向外方から幅方向内方に向かって傾倒可能に配設され、上記磁石部材１６を上記ケース部１１の幅方向内方側に傾倒させることで上記金属片と記磁石部材との吸着を解除しうるように形成されている。
また、図３に示すように、上記磁石部材１６は、全体略直方形に形成された磁石固定部材１９と、上記磁石固定部材１９に埋設された磁石体２０とから形成され、図４に示すように、上記磁石固定部材１９の、上記ケース部１１の幅方向内方側の長さ方向一方側面部２１には、長さ方向に沿って下方に向かって延設部２２が設けられ、上記延設部２２は上記ケース部１１に固定されると共に、上記磁石固定部材１９は、上記延設部２２と上記長さ方向側面部２１との境界部に形成されたヒンジ部２３を介して上記ケース部１１の幅方向内方側に傾倒可能に固定されている。
また、図４に示すように、上記磁石固定部材１９の、上記ケース部１１の幅方向端部側の長さ方向他方側面部２４には、上記ケース部１１の幅方向外方に突出する突起部２５が配設されている。
また、上記突起部２５は略直方体の小片に形成され、図５に示すように上記突起部２５を上記ケース部１１の幅方向内方に向かって押入し、上記磁石固定部材１９を上記ケース部１１の幅方向内方側に向かって傾倒させることで、上記突起部２５の角部２６によって上記金属片が上方に跳ね上げられるように形成されている。
また、図１に示すように、上記磁石部材１６は、上記ケース部１１の上面部１２及び下面部１３の幅方向端部３２、３３に夫々取り付けられている。
【実施例】
【００２２】
以下に、図面を用いて本実施例について詳細を説明する。
図１は、本実施例にかかる筆記具ケース１０において、ケース部１１の上面部１２の蓋体１５を開放した状態の全体斜視図である。
上記ケース部１１は薄型の直方体に形成され、上記蓋体１５は下面部１２、長さ方向一方側面部２８、上面部１１を夫々外方から被覆し、上記上面部１２及び下面部１２に形成された開口部１４を閉止しうる大きさの平面長方形状に形成され、上記ケース部１１の幅方向一方端部の長さ方向略中央部には、略直方体箱状の磁石部材収納部２９が形成され、上記磁石部材収納部２９の内部に、磁石部材１６が固定されている。
また、上記蓋体１５の金属片部１８は、金属性の薄板部材により形成され、上記蓋部１５の長さ方向中央部の幅方向端縁部１７を挟持する断面略Ｕ字形状に形成されている。
図２は、本実施例にかかる筆記具ケース１０において、蓋体１５を閉止した状態の背面図である。
図２に示すように、上記蓋体１５は、上記ケース部１１の長さ方向一方側面部２８の上端縁部と下端縁部において、長さ方向に沿って上記ケース部１１に固着され、上記長さ方向一方側面部２８の上端縁部と下端縁部においてヒンジ部２７を形成し、上記ヒンジ部２７によって蓋体１５は上記ケース部１１の上面部１１及び下面部１２の開口部１４（図２には図示せず）を開閉可能に形成されている。
また、図３は上記磁石部材１６の拡大斜視図を示している。
図３に示すように、上記磁石部材１６の磁石固定部材１９は合成樹脂により略直方体形状に形成され、長さ方向中央部には、平面板状に形成された磁石部材２０が上記磁石固定部材１９の長さ方向に沿って嵌着されている。
また、図１に示すように、上記磁石固定部材１９の突起部２５は、上記磁石部材１６を上記筆記具ケース１０に取り付けた状態で、上記ケース部１１の長さ方向他方側面部３０の一般面から幅方向外方に突出して配置されている。
【００２３】
上記実施例の構成における作用について以下に詳細を説明する。
上記筆記具ケース１０の蓋体１５を開放する場合は、図５に示すように、下面部１３を把持し、指３１によって、上記磁石固定部材１９の突起部２５を、上記ケース部１１の幅方向内方に向かって押入する。
上記操作によって、図４に示すように、上記磁石固定部材１９は、ヒンジ部２３を介して、直方体部分が矢印Ａに沿って、上記ケース部１１の幅方向内方に傾倒する。
この際、上記磁石固定部材１９の角部２６によって、上記蓋体１５に取り付けられている金属片１８が上方に跳ね上げられると共に、磁石体２０が上記金属片１８と離間して磁性吸着が解除される。
図５に示すように、上記操作によって指３１が、蓋体１５とケース部１１との間に挿入されるため、上記金属片１８と上記磁石部材１６との吸着が解除された後に、上記指３１によって上記蓋体１５を上方に跳ね上げることで、蓋体１５が大きく開放される。
以上のように、本実施例にかかる筆記具ケース１０においては、上記蓋体１５の開放操作を、上記磁石部材１６を傾倒し、磁性吸着力の方向と対向しない方向にスライドさせることで行うことから、磁性吸着力の反対方向に付勢して蓋体を開放する従来の筆記具ケースと比較して、より小さな力で蓋体１５を開放することが可能である。
また、上記筆記具ケース１０を把持したまま、把持した手の指３１で開放操作が可能であることから、片手で容易に蓋体１５の開放操作に行うことが可能となる。
更に、従来の筆記具ケースのように、蓋体開放操作の補助部材として、別途板ばねを配設する必要もないことから、構造が簡単で製造コストが小さく、且つ重量が軽量な筆記具ケースを提供することが可能となる。
【産業上の利用可能性】
【００２４】
本考案はケース部に取り付けられている磁石部材に、蓋体に取り付けられている金属片が吸着されることにより蓋体が閉止される筆記具ケースに広く適用が可能である。
【図面の簡単な説明】
【００２５】
【図１】本考案にかかる筆記具ケースの一実施の形態を示し、実施の形態における筆記具ケースの一方の蓋体が開放された状態の全体斜視図である。
【図２】本考案にかかる筆記具ケースの一実施の形態を示し、実施の形態における筆記具ケースの蓋体を閉止した状態の背面図である。
【図３】本考案にかかる筆記具ケースの一実施の形態を示し、実施の形態における筆記具ケースの磁石部材の拡大斜視図である。
【図４】本考案にかかる筆記具ケースの一実施の形態を示し、実施の形態における筆記具ケースの磁石部材がケース部の幅方向内方に押入された状態を示す、幅方向断面図である。
【図５】本考案にかかる筆記具ケースの一実施の形態を示し、実施の形態のおける筆記具ケースの磁石部材を指で押入する操作を示す、拡大斜視図である。
【図６】従来の筆記具ケースの形態を示す全体斜視図である。
【図７】従来の他の筆記具ケースの分解斜視図である。
【図８】従来の他の筆記具ケースの磁石部材の分解斜視図である。
【図９】従来の他の筆記具ケースの蓋部を閉止した状態における幅方向断面図である。
【図１０】従来の他の筆記具ケースの蓋部を開放した状態における幅方向断面図である。
【符号の説明】
【００２６】
１０  筆記具ケース
１１  ケース部
１２  ケース部の上面部
１３  ケース部の下面部
１４  開口部
１５  蓋体
１６  磁石部材
１７  蓋体の幅方向端縁部
１８  金属片
１９  磁石固定部材
２０  磁石体
２１  磁石固定部材の長さ方向一方側面部
２２  延設部
２３  ヒンジ部
２４  磁石固定部材の長さ方向他方側面部
２５  突起部
２６  磁石固定部材の角部
２７  蓋体のヒンジ部
２８  ケース部の長さ方向一方側面図
２９  磁石部材収納部
３０  ケース部の長さ方向他方側面図
３１  指
３２  ケース部の上面部の幅方向端縁部
３３  ケース部の下面側の幅方向端縁部
７０  筆記具ケース
７１  ケース部
７２  ケース部下面部
７３  ケース部の長さ方向一方側面部
７４  ケース部の上面開口部
７５  蓋体
７６  磁石部材
７７  金属片
８０  筆記具ケース
８１  ケース部
８２  ケース部の下面部
８３  ケース部の長さ方向一方側面部
８４  ケース部の上面開口部
８５  蓋体
８６  磁石部材
８７  蓋体の幅方向一端縁部
８８  金属片
８９  角筒部
９０  ケース部の底面部の幅方向中央部
９１  磁石板
９１ａ磁石板の突起部
９１ｂ磁石板の突起部
９１ｃ磁石板の突起部
９１ｄ磁石板の突起部
９２  磁石板
９２ａ磁石板の突起部
９２ｂ磁石板の突起部
９２ｃ磁石板の突起部
９２ｄ磁石板の突起部
９３  固定板
９４  孔部
９５  孔部
９６  孔部
９７  回転軸
９８  摘み部
９９  スプリング
１００溝部
１０１板ばね
１０２磁石部材収納部
１０３磁石部材収納部の幅方向一端側側面
１０４磁石部材収納部の幅方向他端側側面
【図１】
0003144562.tif 000003
【図２】
0003144562.tif 000004
【図３】
0003144562.tif 000005
【図４】
0003144562.tif 000006
【図５】
0003144562.tif 000007
【図６】
0003144562.tif 000008
【図７】
0003144562.tif 000009
【図８】
0003144562.tif 000010
【図９】
0003144562.tif 000011
【図１０】
0003144562.tif 000012